(57)【要約】【課題】デジタル放送を視聴するユーザ側の現在の状況を示すユーザ情報をラジオネーム等の代用名として自動的に放送局側に収集するデジタル放送用送受信装置及びデジタル放送の送受信方法を提供する。【解決手段】デジタル放送により配信される配信データを受信する受信手段１と、受信手段１により受信された配信データを復号化するデコード手段２と、復号化された配信データをユーザに向けて出力する出力手段８と、ユーザ側のユーザ情報を取得するユーザ情報取得手段６と、ユーザ情報取得手段６により取得されたユーザ情報に予め対応づけられた関連単語を含む当該ユーザの代用名を生成する代用名生成手段５とを設けた。【選択図】  図１
2008166940.tif 000002
【特許請求の範囲】
【請求項１】
デジタル放送により配信される配信データを受信する受信手段と、
前記受信手段により受信された配信データを復号化するデコード手段と、
前記復号化された配信データをユーザに向けて出力する出力手段と、
ユーザ側のユーザ情報を取得するユーザ情報取得手段と、
前記ユーザ情報取得手段により取得されたユーザ情報に予め対応づけられた関連単語を含む当該ユーザの代用名を生成する代用名生成手段と、を有するデジタル放送用送受信装置。
【請求項２】
前記ユーザ情報は、前記ユーザの現在位置を含み、
前記代用名は、前記ユーザ情報に含まれる現在位置に予め対応づけられた地域関連単語を含む請求項１に記載のデジタル放送用送受信装置。
【請求項３】
前記ユーザ情報は、前記ユーザの性別情報を含み、
前記代用名は、前記ユーザ情報に含まれる性別情報に予め対応づけられた男性称又は女性称を前記関連単語として含む請求項１又は２に記載のデジタル放送用送受信装置。
【請求項４】
前記ユーザ情報は、前記ユーザが搭乗する車両情報を含み、
前記代用名は、前記ユーザ情報に含まれる車両情報に予め対応づけられた車両関連単語を含む請求項１〜３のいずれかに記載のデジタル放送用送受信装置。
【請求項５】
前記ユーザ情報は、前記ユーザの現在位置を含み、
前記代用名は、前記ユーザ情報に含まれる現在位置が含まれる道路の道路関連単語を含む請求項１〜４のいずれかに記載のデジタル放送用送受信装置。
【請求項６】
前記代用名生成手段は、ユーザ識別情報を取得し、前記ユーザ識別情報に対応付けて記憶された代用名を参照し、前記取得したユーザ識別情報に対応する代用名を取得できなかった場合、前記ユーザの代用名を生成する請求項１〜５のいずれかに記載のデジタル放送用送受信装置。
【請求項７】
前記受信手段により受信された配信データに含まれる放送局側の回答要求を認識し、認識された回答要求を前記ユーザに提示するとともに、提示された回答要求に対する回答の入力を前記ユーザ側から受け付け、当該入力を受け付けた回答を含む送信データに前記代用名生成手段により生成された前記ユーザの代用名を付加して、前記放送局側が定める所定の送信先へ送信するデータ処理手段をさらに備える請求項１〜６のいずれかに記載のデジタル放送用送受信装置。
【請求項８】
前記ユーザ情報取得手段は、前記放送局側の回答要求が前記ユーザに提示された後、前記ユーザ側から受け付けた回答を含む送信データを送信するまでの間に、前記ユーザ側のユーザ情報を取得し、
前記代用名生成手段は、前記タイミングで取得したユーザ情報に予め対応づけられた関連単語を含む当該ユーザの代用名を生成する請求項７に記載のデジタル放送用送受信装置。
【請求項９】
前記代用名生成手段は、ユーザ情報のうち収集すべき収集情報のカテゴリを予め取得し、前記取得した収集情報のカテゴリに対応づけた関連単語を含む構成を有する当該ユーザの代用名を生成する請求項１〜８のいずれかに記載のデジタル放送用送受信装置。
【請求項１０】
前記代用名生成手段は、前記作成する代用名が前記ユーザ情報に含まれる性別情報に予め対応づけられた男性称又は女性称を含む場合、男性称を含む代用名の候補と女性称を含む代用名の候補との双方を含む代用名候補を作成する請求項１〜９のいずれかに記載のデジタル放送用送受信装置。
【請求項１１】
前記代用名生成手段は、異なる複数の代用名の候補を作成し、当該候補を前記ユーザに提示するとともに、当該ユーザから受け付けた一の代用名を特定する選択指令に基づいて一の代用名を決定する請求項１〜１０のいずれかに記載のデジタル放送用受信装置。
【請求項１２】
前記データ処理手段は、前記代用名生成手段により生成された代用名に含まれる関連単語と対応づけられたユーザ情報以外のユーザ情報を、前記放送局側に送出する請求項１〜１１のいずれかに記載のデジタル放送用送受信装置。
【請求項１３】
デジタル放送により配信される配信データを受信するステップと、
前記受信された配信データを復号化するステップと、
前記復号化された配信データをユーザに向けて出力するステップと、
ユーザ側のユーザ情報を取得するステップと、
前記取得されたユーザ情報に予め対応づけられた関連単語を含む当該ユーザの代用名を生成するステップと、を有するデジタル放送用の送受信方法。
【発明の詳細な説明】
【技術分野】
【０００１】
本発明は、デジタル放送用の送受信装置に関し、特に、装置を利用するユーザの代用名を作成するデジタル放送用送受信装置およびデジタル放送用の送受信方法に関する。
【背景技術】
【０００２】
ネット上でサービスの提供を受ける際に、個人情報（本名等）に基づいて匿名情報（仮名等）を自動的生成し、匿名情報を用いて登録を行う技術が知られている（特許文献１参照）。本装置によれば、外観上個人情報が秘匿された状態となり、登録情報を開示する際のユーザの心理的抵抗を低減することができる。
【０００３】
しかしながら、放送局（情報提供者）側とユーザ側とが双方向で情報を授受する状況において、ユーザの名前（投稿名、筆名等）をマーケットデータとして利用する観点からユーザの代用名を生成する装置は存在しなかった。
【０００４】
【特許文献１】特開２００２−７９３７号公報
【発明の開示】
【０００５】
本発明は、情報配信側に利用価値のあるデータをユーザの側から送出することを目的とする。
【０００６】
本発明によれば、デジタル放送により配信される配信データを受信し、受信手段により受信された配信データを復号化し、復号化された配信データをユーザに向けて出力し、ユーザ側のユーザ情報を取得し、取得されたユーザ情報に予め対応づけられた関連単語を含む当該ユーザの代用名を生成するデジタル放送用送受信装置及びデジタル放送用の送受信方法が提供される。
【０００７】
これにより、デジタル放送のようにユーザと放送局とが双方向に情報を送受信する状況において、ユーザの現在の状況が反映された代用名を生成するため、マーケットデータとして利用価値の高いユーザ側の情報を放送局に収集することができる。
【発明を実施するための最良の形態】
【０００８】
本実施形態のデジタル放送用送受信装置１００は、車両に搭載され、放送局が配信するデジタル放送を受信して搭乗者に提示するとともに、ユーザ側から入力された情報を放送局側に送信する。特に本実施形態のデジタル放送用送受信装置１００は、車両に搭乗するユーザのユーザ情報を取得し、取得したユーザ情報に予め対応づけられた関連単語を含む代用名を生成する機能を有する。代用名とはラジオネーム、筆名、投稿名などのユーザを特定するための本名以外の名前である。
【０００９】
本発明の実施形態を図１〜図７に基づいて説明する。図１は本実施形態の全体構成を示す全体ブロック構成図、図２は本実施形態のデータ処理手段４のブロック構成図、図３は本実施形態の代用名生成手段のブロック構成図、図４は本実施形態の制御手順を説明するためのフローチャート図、図５は放送局側からのアンケート（回答要求）の提示例を示す図、図６は本実施形態の代用名生成処理の制御手順を説明するためのフローチャート図、図７は代用名の構成の一例を説明するための図、図８（Ａ）は地域関連情報の一例を示し、図８（Ｂ）は道路関連情報の一例を示し、図８（Ｃ）は車両関連情報の一例を示す、図８（Ｄ）は男性称又は女性称の一例を示す図である。
【００１０】
図１に示すように、本実施形態のデジタル放送用送受信装置１００は、受信手段１と、デコード手段２と、通信手段３と、データ処理手段４と、代用名生成手段５と、ユーザ情報取得手段６と、入力情報取得装置７と、出力手段８とを有する。また、本実施形態のデジタル放送用送受信装置１００は、ユーザの入力を受け付ける入力装置３００と、ユーザが搭乗する車両の位置情報、走行情報、地図情報を取得可能なナビゲーション装置２００と、車両の走行等を制御する車両コンピュータ４００情報の授受が可能なように接続されている。
【００１１】
以下、各構成について説明する。
【００１２】
「受信手段１」は、チューナー部１２を備え、デジタル放送により配信される配信情報を受信する。チューナー部１２は、アンテナ１１に到達した各種放送信号の中から、所定の周波数成分のみを抽出することで、受信対象となる周波数信号のみを抽出し、抽出したデジタル放送信号を、デコード手段２に向けて出力する。
【００１３】
「デコード手段２」は、受信手段１により受信された配信情報を復号化する。具体的に、デコード手段２は、チューナー部１２が抽出したデジタル放送信号に所定のデジタル復調処理を行い、音声信号とBML（Broadcast Markup Language）などで記述されたデータ信号とに分離する。分離された音声信号及びデータ信号は、出力手段８を介して出力される。
【００１４】
「通信手段３」は、ユーザ側と放送局との間の情報の授受を制御する。通信手段３は、例えば携帯電話のような通信機であってもよいし、無線LANやDSRCなどの通信装置であってもよい。ユーザ側が放送局を送出するアンケートへの回答、リクエストへの回答、懸賞への応募、意見収集への投稿等の送信データは通信手段３を介して送信される。
【００１５】
「データ処理手段４」は、デコード手段２によりデコードされたデータ信号を解析し、必要な処理を行う。データ処理手段４の具体的な構成を図２に示した。図２に示すように本実施形態のデータ処理手段４は、画面作成部４１と、回答要求認識部４２と、送信先取得部４３と、送信データ作成部４４と、登録済み代用名確認部４５とを有する。
【００１６】
画面作成部４１は、デジタル放送をユーザに提示するための画面、ユーザの入力を受け付けるための画面等、本データ放送用送受信装置１００が表示する画面を作成する。画面作成部４１は、例えばBMLブラウザのようなもので、デコード手段２が出力するデータ信号に基づいてアンケートフォームを含むデータ放送画面の作成を行う。具体的に画面作成部４１は、アンケート画面作成部４１１と、代用名候補表示画面作成部４１２と、登録画面作成部４１３とを有する。アンケート画面作成部４１１は、データ信号にアンケートやリクエストなどの回答要求が含まれている場合、そのアンケートフォームを表示するためのデータ放送画面を作成する。また、代用名候補表示画面作成部４１２は、代用名生成手段５が生成した複数の代用名（候補）をユーザに提示するとともに、ユーザから一の代用名を選択する選択指令を受け付けるための画面を作成する。登録画面作成部４１３は、新たに生成された代用名をユーザ側から受け付けたユーザ識別情報と対応づけて記憶（登録）するための画面を作成する。
【００１７】
回答要求認識部４２は、受信手段１により受信された配信データに含まれる放送局側の回答要求（アンケート回答要求、リクエスト要求、懸賞応募要求、意見募集要求、投稿要求等）を含む返信フォームの存在を認識する。また、ラジオネーム、筆名、投稿名などの代用名の構成に関する放送局から要求（例えば、ユーザ情報のうち収集すべき収集情報のカテゴリなど）が含まれている場合、その放送局の要求についても認識する。
【００１８】
送信先取得部４３は、回答要求認識部４２が放送局側の回答要求の存在を認識した場合、放送局側からの回答要求に対する回答を送信するあて先（ＵＲＬ、メールアドレス等）を取得する。
【００１９】
送信データ作成部４４は、ユーザから入力された回答要求に対する回答を含む送信データを作成する。具体的に、送信データ作成部４４は、受信手段１により受信された配信データに含まれる放送局側の回答要求に対するユーザ側からの回答を含む送信データを作成する。送信データ作成部４４は、送信先取得部４３からアンケート等の送信先URLを取得するとともに、後述する代用名生成手段５から生成及び決定された代用名を取得し、これらを作成した送信データとともに通信手段３へ向けて送出する。
【００２０】
また、送信データ作成部４４は、後述する代用名生成手段５により生成された代用名に含まれる関連単語と対応づけられたユーザ情報以外のユーザ情報を、つまり代用名生成には利用されなかったユーザ情報を、代用名生成部から取得して放送局側に送出する情報として作成し、通信手段３へ向けて送出する。
【００２１】
登録済み代用名確認部４５は、ユーザ識別情報と対応づけて登録された代用名のデータベースを参照して、ユーザから入力されたユーザ識別情報に対応する代用名が登録されているか否かを確認する。登録されている場合は、ユーザ識別情報に対応する代用名を代用名生成手段５に送出し、登録されていない場合は、その旨を代用名生成手段５に送出する。
【００２２】
「ユーザ情報取得手段６」はユーザ側のユーザ情報を取得する。ユーザ情報取得手段６は、個人情報取得部６１と、車両情報取得部６２と、現在位置取得部６３とを有し、ユーザの個人情報（氏名、年齢、性別、住所、生年月日、職業等）、ユーザが搭乗する車両に関する情報（メーカ、車種、車型、購入年度、走行距離等）、ユーザの現在位置に関する情報（現在位置、地域名、走行道路名称、走行道路属性、走行履歴等）のいずれか一つ以上を取得する。
【００２３】
個人情報取得部６１は、デジタル放送用送受信装置１００、ナビゲーション装置又は車載のコンピュータ４００に予め登録されたユーザの個人情報を取得する。個人情報取得部６１は、入力装置３００を介して入力された個人情報を取得してもよい。車両情報取得部６２は、デジタル放送用送受信装置１００、ナビゲーション装置又は車載のコンピュータ４００に予め登録された車両情報を取得する。車両情報取得部６２は、入力装置３００を介して車両情報を取得してもよい。現在位置取得部６３は、現在位置に関する情報を本装置と情報の授受を行うことができるナビゲーション装置２００から取得する。本実施形態のナビゲーション装置２００は、地図情報を備え、ＧＰＳ機能等を用いて自車両の現在位置を検出する機能を備える。ナビゲーション装置２００が備える地図情報は、市町村名等の地域名称、道路の名称、道路属性の情報を有する。現在位置取得部６３は、ナビゲーション装置２００がＧＰＳ機能等を用いて検出した自車両の現在位置、現在位置の地域名（都道府県、市町村）を取得する。
【００２４】
「入力情報取得手段７」は、入力装置３００を介してユーザから入力されたデータを取得するとともに、代用名生成手段５、データ処理手段４、出力手段８へ送出する。
【００２５】
「代用名生成手段５」は、ユーザ情報取得手段により取得されたユーザ情報に予め対応づけられた関連単語を含む当該ユーザの代用名を生成する。代用名生成手段５の具体的構成を図３に示した。図３に示すように、本実施形態の代用名生成手段５は、代用名生成判断部５１と、代用名構成設計部５２と、代用名生成部５３と、代用名候補提示部５４と、代用名決定部５５とを有する。
【００２６】
代用名生成判断部５１は代用名生成処理を実行するか否かを判断する。本実施形態の代用名生成判断部５１は、ユーザ識別情報取得機能５１１を備え、ユーザから所定の識別情報を取得し、ユーザを特定する。ユーザを特定するための識別情報を取得する手法は、ユーザＩＤ、パスワード入力などユーザーが直接入力する手法であってもよいし、本装置の通信手段３に接続された携帯電話の番号、携帯電話の識別ＩＤなど通信手段３を介して取得してもよいし、指紋や声紋などの生体情報をユーザから取得する方法であってもよい。
【００２７】
ユーザ識別情報取得機能５１１は、ユーザＩＤ、ユーザの電話番号、ユーザの氏名、生年月日などのユーザを特定することができるユーザ識別情報を取得する。代用名生成判断部５１は、取得したユーザ識別情報に対応付けて記憶された代用名を参照し、取得したユーザ識別情報に対応する代用名を取得できなかった場合、つまり、代用名が未だ生成・記憶されていなかった場合、ユーザの代用名を新たに生成する旨の指令を、後述する代用名生成部５３へ送出する。なお、本処理を行うことなく、アンケート等の回答要求があった場合、又はユーザからの送信要求があった場合に常に代用名を生成する処理を行ってもよい。
【００２８】
代用名構成設計部５２は、代用名の構成、すなわち代用名に含ませるユーザ情報のカテゴリ、その順番を設計し、決定する。代用名構成設計部５２が、ユーザ情報のうち現在位置情報、走行道路、性別を、この順番で代用名に含ませると決定した場合、代用名は、現在位置に対応づけられた地域関連単語、走行道路に対応づけられた道路関連単語、性別に対応づけられた男性称又は女性称を、この順番で含む。本実施形態の代用名構成設計部５２は、ユーザ情報のうち収集すべき収集情報のカテゴリを放送局側等の外部から予め取得し、取得した収集情報のカテゴリに対応づけた関連単語を含む構成を有する代用名を生成する。これにより、放送局側等の外部が必要とするユーザ情報を代用名に含めることができる。このような代用名を取得した放送局側等の外部機関は、代用名から必要なユーザ情報を抽出してマーケッティングデータとして利用することができる。
【００２９】
本実施形態の代用名生成部５３は、ユーザ情報別関連単語データ５３１と、関連単語選択機能５３２とを有する。ユーザ情報別関連単語データ５３１は、ユーザ情報のカテゴリごとに関連単語を対応づけて記憶する。ユーザ情報別関連単語データ５３１に格納するユーザ情報及び関連単語は特に限定されないが、本実施形態のユーザ情報別関連単語データ５３１には、ユーザ情報のカテゴリ「ユーザの現在位置」に都道府県名、市町村名、街の略称、愛称若しくは俗称、又は近傍の著名地名（観光名所）などの「地域関連単語」が対応づけられ、ユーザ情報のカテゴリ「ユーザの性別情報」に男性にしか用いられないお父さん等の単語、女性にしか用いられない姉等の単語といった「男性称又は女性称」が対応づけられ、ユーザ情報のカテゴリ「車両情報」にメーカ、車種、型式、車種・車型の愛称・呼び名などの「車両関連単語」が対応づけられ、ユーザ情報のカテゴリ「走行道路」に高速道路、一般道等の道路種別、横浜横須賀道路、横横、東名、ヴィーナスライン、などの道路の名称又は略称等、海岸通り、山道などの道路の呼び名などの「現在位置が含まれる道路の道路関連単語」が対応づけられている。
【００３０】
関連単語選択機能５３２は、上述したユーザ情報関連単語データ５３１を参照して、ユーザ情報取得手段６により取得されたユーザ情報と対応する関連単語を選択する機能である。代用名生成部５３は、代用名構成設計部５２により設計された代用名に含まれるユーザ情報のカテゴリ及び順番に従い、ユーザ情報別関連単語データ５３１を参照して、代用名に含めるユーザ情報と対応づけられた関連単語を選択し、所定の順番に並べる。ユーザ情報関連単語データ５３１において一のユーザ情報（カテゴリ）に複数の関連単語が対応づけられている場合は、その中から一の関連単語を選択してもよいし、関連単語の組み合わせが異なる複数の代用名を生成してもよい。一の関連単語を選択する場合は、ユーザの選択指令を入力手段３００、入力情報取得手段７を介して取得してもよいし、所定のルールに従って自動的に選択してもよい。
【００３１】
また、本実施形態の関連単語選択機能５３２は、作成する代用名がユーザ情報に含まれる性別情報に予め対応づけられた男性称又は女性称を含む場合、男性称を含む代用名の候補と女性称を含む代用名の候補との双方を含む代用名候補を作成する。関連単語選択機能５３２は、男性称を含む代用名の数と、女性称を含む代用名の数とを比較し、その差が所定値以上である場合（男性称の代用名候補数と女性称の代用名候補数に偏りがある場合）、性別に対応づけられた性別関連単語の選択をやり直し、男性向けの代用名の候補と女性向けの代用名の候補との数の差を小さく乃至等しくする。これにより、女性向けの代用名の選択肢と男性向けの代用名の選択肢をバランス良くユーザに提示することができる。代用名生成部５３により作成された一又は複数の代用名は代用名候補提示部５４に送信される。なお、代用名の生成に用いられなかったユーザ情報、すなわち、代用名構成設計部５２に設計された代用名の構成には含まれなかったユーザ情報以外の情報については、データ処理手段４へ送出してもよい。代用名生成に用いられなかった情報についても、放送局側が取得を希望する場合は、送信データ作成部４４がこれらの情報を送信データとして作成し放送局側へ送出する。
【００３２】
代用名候補提示部５４は、代用名生成部５３により生成された代用名の候補を、出力手段８を介してユーザに提示する。ユーザに提示される画面は前述したデータ処理手段４が作成する。
【００３３】
代用名決定部５５は、生成、提示された代用名の候補の中から実際にユーザが使用する一の代用名を決定する。本実施形態の代用名決定部５５は、ユーザから入力手段３００、入力情報取得手段７を介して入力された選択指令に基づいて一の代用名を決定する。これにより、ユーザの意思を反映した代用名を作成することができる。
【００３４】
「出力手段８」は、出力制御部８１と、スピーカ、ディスプレイ等の出力部８２を有し、データ処理手段４、デコード手段２により処理されたデジタル放送音声・画像、ナビゲーション装置２００が出力するルート案内などの音声・画像を出力制御部８１により制御し、出力部８２を介してユーザに向けて出力する。
【００３５】
図４は、本実施形態のデジタル放送用送受信装置１００の制御手法を示すフローチャート図である。本実施形態では、参加型の放送番組を聴取するユーザが放送局から配信されたアンケートやリクエスト等（回答要求）に回答する（放送番組に参加する）際に用いるラジオネームを代用名として生成する。
【００３６】
図４に示すように、チューナー部１２がデジタル放送信号を受信し、ユーザーが指定した所定の周波数成分のみが抽出されると（１０１）、デコード手段２は、放送のデコードを開始する（１０２）。放送がデコードされると放送信号は、音声とデータとに分離され、音声は出力手段８のスピーカを介して出力される。データ信号は、データ処理手段４に送出される。回答要求認識部４２は、データ信号にアンケートフォームやリクエストフォームといった番組（放送局）への参加（回答）フォームを認識し（１０３）、放送局側から回答の要求があるか否かを判断する（１０４）。アンケートフォームの有無を識別する手法としては、データ放送に含まれるアンケートフォーム特有の記載やタグ情報から識別する手法を用いることができる。放送局側から回答要求があった場合（１０４でＹ）、ステップ１０７へ進む。またステップ１０４において、放送信号にユーザ情報のうち収集すべき収集情報のカテゴリが含まれている場合には、これを取得し、代用名生成手段５の代用名構成設計部５２へ送出する。
【００３７】
他方、ステップ１０４において、データ放送内にアンケートフォームが含まれていなければ（１０４でＮ）、データ処理手段４の画面作成部４１が受信中のデータ放送画面を作成し、出力制御手段８１の制御の下、ディスプレイ８２に表示され（１０５）、終了（１０６）へ向う。
【００３８】
データ放送内にアンケートフォームが存在する場合、送信先取得部４３は、データ放送内に記述されているURL、メールアドレス等のアンケートの送信先情報を取得する（１０７）。データ処理手段４の画面作成部４１は、受信したアンケートフォームの画面を作成し、出力制御部８１の制御の下、ディスプレイ８２に表示する（１０８）。アンケート画面の表示例を図５に示した。アンケートの問い「１００万円あったら何を買う？」に対して４つの回答の選択肢「買い物」「旅行」「貯金」「ギャンブル」が提示されている。アンケート表示後、ユーザからの回答入力を受け付ける。
【００３９】
次に代用名生成手段５の代用名生成判断部５１は、ユーザを特定するためのユーザ識別情報を取得する（１０９）。代用名生成判断部５１は、ユーザの識別情報と対応づけられたラジオネーム（代用名）のリストを参照して、取得したユーザ識別情報に対応する代用名を検索する。ユーザ識別情報により特定されたユーザのラジオネーム（代用名）が未登録である（検索の結果ヒットなし）場合（１１０でＹ）、ステップ１１１へ進む。一方、ユーザ識別情報に対応するラジオネーム（代用名）がすでに登録されている場合はステップ１１９に進み、そのラジオネームを取得する（１１９）。ユーザからのアンケート回答の入力が完了したら（１２０でＹ）送信処理へ進む。
【００４０】
Ｓ１１０においてラジオネームが未登録であると判断された場合、代用名生成手段５は、ラジオネーム（代用名）の生成処理を行う（１１１）。ラジオネーム(代用名）を生成する処理を図６に示した。
【００４１】
図６に示すように、代用名構成設計部５２は、放送局側等の外部が必要とするユーザ情報のカテゴリ、すなわち、ユーザ情報のうち収集すべき収集情報のカテゴリを取得する（１１０１）。本例において放送局側が必要とする収集情報のカテゴリは、ユーザの現在位置及び／又は走行道路、車両情報並びに及び性別である。代用名構成設計部５２は取得した収集情報のカテゴリを含む代用名の構成を設計する（１１０２）。代用名構成設計部５２は、代用名に含まれるユーザ情報とともにその順番を設計する。本例では、「現在位置」及び／又は「走行道路」、「車両情報」、「性別」の順番で、これらを含む代用名を設計する。代用名の構成概要を図７（Ａ）に示した。図７（Ａ）では走行地域名と走行道路名との両方のユーザ情報を含む代用名の構成例を示したが、走行地域名のみ又は走行道路名のみに対応する関連単語を含む代用名としてもよい。
【００４２】
ユーザ情報取得手段６は、少なくとも代用名に含まれるユーザ情報を取得する（１１０３）。ユーザ情報を取得するタイミングは特に限定されないが、放送局側からのアンケート要求（回答要求）を認識した後、ユーザ側からアンケートに対する回答が入力され、受け付けた回答を含む送信データを送信するまでの間であることが好ましい。これにより、アンケートに答えている時点（タイミング）におけるユーザの状況を含むユーザ情報を取得することができるため、ユーザの状況を考慮したアンケートの分析結果を得ることができる。たとえば、走行地域ごとのアンケート集計、搭乗している車の車種やランクごとのアンケート集計、性別によるアンケート集計を行うことができる。本例では、「１００万円あったら何を買う？」というアンケートにおいて、現在位置ごと、走行中の道路種別ごと、搭乗車両のメーカ、搭乗車両の車種、ユーザの性別等に応じてアンケート結果を集計することができる。代用名に含まれないユーザ情報を取得してもよい。ユーザ情報取得手段６の個人情報取得部６１は、車載コンピュータ４００、ナビゲーション装置２００又は入力手段３００を介してユーザの個人情報を取得する。個人情報には年齢、性別、住所生年月日などが含まれる。車両情報取得部６２は、車載コンピュータ４００、ナビゲーション装置２００又は入力手段３００を介してユーザの車両情報を取得する。車両情報にはメーカ、車種、型式、年度等が含まれる。現在位置取得部６３は、ナビゲーション装置２００の現在位置検出機能が検出したユーザの現在位置とともに、ユーザが位置する地域の名称に関する情報、ユーザの車両が走行する道路の種別、名称等に関する情報を取得する。
【００４３】
図６のステップ１１０４以降において、代用名生成部５３の関連単語選択機能５３２は、取得したユーザ情報に予め対応づけられた関連単語を、ユーザ情報別関連単語データ５３１を参照して選択する。ユーザ情報別関連単語データ５３１の一例を図８に示した図８（Ａ）はユーザの現在位置（ユーザ情報）に対応づけられた地域関連単語群である。図８（Ｂ）はユーザの現在位置が含まれる道路、すなわちユーザが走行中の道路に対応づけられた道路関連単語である。図８（Ｃ）は車両情報に対応づけられた車両関連情報である。図８（Ｄ）はユーザの性別に対応づけられた男性称又は女性称である。これら関連単語はユーザの遊び心を考慮する観点から俗称や略称や通称などを含ませることが好ましい。例えば、車両情報に含まれるユーザ車両の車種がレース用やドリフト用に適した車種である場合、これらの車両を好むドライバの通称である「走り屋」、車種としての「シルビア（登録商標）」、シルビア（登録商標）の愛称としての「シルシル」、車両のタイプとしての「スポーツ」、車型としての「１ＢＯＸ」、モデル情報としての「Ｓ１５］等を車両関連単語として用いることができる。
【００４４】
ユーザ情報取得後、代用名生成部５３の関連単語選択機能５３２は、まず、現在位置に対応する地域関連単語を選択し（１１０４）、現在走行する道路に対応する道路関連単語を選択し（１１０５）、車両情報に関連する車両関連単語を選択し（１１０６）、最後に性別に対応する男性称又は女性称を選択する（１１０７）。これら関連単語の選択はランダムに選択するものであっても良いし、データの順番に従って選択してもよいし、重み付けを行うようにしてもよい。また、このときにユーザの選択命令を受け付けてもよい。代用名を構成するユーザ情報のすべてについて対応する関連単語を選択すれば、代用名の候補が完成する。本例において生成された代用名の構成概要を図７（Ｂ）に示した。
【００４５】
次に、作成した所定数の代用名の候補のうち、男性称を含む男性のラジオネーム（代用名）が所定数作成されたか確認する（１１０８）。これは、複数のラジオネーム（代用名）候補に男性用のものと女性用のものとをバランスよく混在させるためである。例えば、４つのラジオネーム（代用名）候補を提示する場合、２つは男性称を含むラジオネームとし、残りの２つは女性称を含むラジオネームとすることが好ましい。男性のラジオネームが所定数に達しない場合、ユーザ情報別関連単語データ５４１を参照して新たに男性称を取得して（１１０９）、男性称を含むラジオネームを生成する（１１１０）。男性の代用名が所定数に到達したら（１１０８でＹ）、女性称を取得し（１１１１）、男性用の代用名と同様にラジオネームを生成する（１１１２）。女性用代用名が所定数に到達したら（１１１３）、生成した代用名の候補を代用名候補提示部５４へ出力する（１１１４）。
【００４６】
ここで図４に戻り、同図のステップ１１２の処理に移る。アンケートへの回答が完了したことを確認したら（Ｓ１１２）、代用名候補提示部５４は、データ処理手段４の代用名候補表示画面作成部４１２に候補提示用の画面を作成させ、ユーザにラジオネーム(代用名）の候補を提示する（１１３）。ラジオネーム候補の提示例を図９に示す。図９に示すように、提示されたラジオネームは、「走行地域」に対応する関連情報又は「走行道路」に対応する関連情報、車両情報に対応する関連情報、及び性別情報に対応する関連情報が含まれている。
【００４７】
代用名決定部５５は、入力装置３００、入力情報取得手段７を介して取得したユーザからの選択指令に基づいて、ユーザが使用するラジオネームを決定する（１１４）。このように、走行地域、走行道路、車両情報等を自動的に取得して代用名の候補を作成することにより、ユーザが自ら走行地域、走行道路、車両情報を入力する手間がなく、また個人情報を自ら入力する場合に心理的な抵抗感も低減させることができる。
【００４８】
一のラジオネームを決定したら、決定したラジオネームをデータ処理手段４へ送出する。データ処理手段の送信データ作成部４４は、ユーザが入力したアンケート（回答要求）に対する回答を含む送信データを作成する（１１５）。送信データ作成部４４は、この送信データにユーザの代用名を付加する（１１６）。アンケート（回答要求）に対する回答にラジオネーム（代用名）を付加することによって、アンケート等に対する回答とユーザ情報とを対応づけて収集することができる。
【００４９】
さらに、先に取得した送信先を設定する（１１７）。通信手段３は、この送信データを所定の送信先に向けて送信する（１１８）。このとき、データ処理手段４は、代用名生成手段５により生成された代用名に含まれる関連単語と対応づけられたユーザ情報以外のユーザ情報、すなわち代用名には用いられなかったユーザ情報を、送信データとともに放送局側に送出してもよい。
【００５０】
特に限定されないが、本実施形態の代用名生成手段５は、データ処理手段４が前記放送局側の回答要求を認識した場合、回答要求を認識した後、ユーザ側から受け付けた回答を含む送信データを送信するまでの間のタイミングで、ユーザ情報取得手段６が取得したユーザ側のユーザ情報に基づいて、代用名を生成する。生成された代用名は、回答要求認識後、回答を送信するまでの間に取得されたユーザ情報に予め対応づけられた関連単語を含む。これにより、回答したタイミングにおけるユーザ情報を代用名に反映させることができ、放送局側は収集した代用名から回答時点におけるユーザ情報を抽出し、走行地域、走行道路、車種、車型、性別ごとに回答内容を分析することができ、マーケット情報として利用することができる。
【００５１】
本発明によれば、デジタル放送のようにユーザと放送局とが双方向に情報を送受信する状況において、ユーザの現在の状況が反映された代用名を生成するため、マーケットデータとして利用価値の高い情報をユーザ側から提供させ、放送局に収集することができる。
【００５２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００５３】
【図１】本実施形態の全体構成を示すブロック構成図である。
【図２】本実施形態のデータ処理手段のブロック構成図である。
【図３】本実施形態の代用名生成手段のブロック構成図である。
【図４】本実施形態の制御手順の全体を説明するためのフローチャート図である。
【図５】アンケートフォームの表示例を示す図である。
【図６】本実施形態の代用名生成処理の制御手順を説明するためのフローチャート図である。
【図７】図７（Ａ）本実施形態の代用名の構成の一例を示し、図７（Ｂ）は本実施形態の代用名の一例を示す。
【図８】図８（Ａ）乃至（Ｄ）は本実施形態のユーザ情報別関連単語データの一例を示す図である。
【図９】本実施形態のラジオネーム候補の提示例を示す図である。
【符号の説明】
【００５４】
１００…デジタル放送用送受信装置
１…受信手段
２…デコード手段
３…通信手段
４…データ処理手段
４１・・・画面生成部
４２・・・回答要求認識部
４３・・・送信先取得部
４４・・・送信データ作成部
４５・・・登録済み代用名確認部
５…代用名生成手段
５１・・・代用名生成判断部
５２・・・代用名構成設計部
５３・・・代用名生成部
５４・・・代用名候補提示部
５５・・・代用名決定部
６…ユーザ情報取得手段
６１・・・個人情報取得部
６２・・・車両情報取得部
６３・・・現在位置取得部
７…入力情報取得手段
８…出力手段
【図１】
2008166940.tif 000003
【図２】
2008166940.tif 000004
【図３】
2008166940.tif 000005
【図４】
2008166940.tif 000006
【図５】
2008166940.tif 000007
【図６】
2008166940.tif 000008
【図７】
2008166940.tif 000009
【図８】
2008166940.tif 000010
【図９】
2008166940.tif 000011